(57)【要約】      （修正有）【課題】スクリーンと電子機器又はカメラとを別々に持ち運ぶ必要がないようにする。【解決手段】被写体像を取得する撮像ユニット２６と画像を投影面に向けて投影するプロジェクタユニット２８とを収容する筐体３に、筐体３から離れた位置に置かれるスクリーンを収納可能な収納室１００にはスクリーンが収納されているか否かを検知手段１０２を設ける。また、カメラ２が撮像モードになっているときは、プロジェクタ投影窓１０から画像がスクリーンに投影されないようにし、スクリーンが収納されていないことが検知されたとき、前記プロジェクタユニットによる投影を可能にする。【選択図】図２
2010181510.tif 000002
【特許請求の範囲】
【請求項１】
被写体像を取得する撮像ユニットと、
画像を投影面に向けて投影するプロジェクタユニットと、
前記撮像ユニットと前記プロジェクタユニットとを収容する筐体と、
前記筐体に設けられ、前記筐体から離れた位置に設置されるスクリーンを収納可能な収納部と
を備えていることを特徴とする電子機器。
【請求項２】
前記収納部に前記スクリーンが収納されているか否かを検知する検知手段を備えていることを特徴とする請求項１記載の電子機器。
【請求項３】
前記検知手段によって前記スクリーンが収納されていないことが検知されたとき、前記プロジェクタユニットによる投影を可能にする制御手段を備えていることを特徴とする請求項１又は２記載の電子機器。
【請求項４】
請求項１〜３のいずれか１項記載の電子機器は、カメラである。
【発明の詳細な説明】
【技術分野】
【０００１】
この発明は電子機器及びカメラに関する。
【背景技術】
【０００２】
従来、プロジェクタを収納する本体と、内側面にスクリーンを有する蓋とからなるアタッシュケースが知られている。蓋を本体に対してほぼ直角に保持することができるとともに、１８０度開くことができる。本体に収納されたプロジェクタの投影レンズ部分を本体に対して直角に立ち上がった蓋のスクリーンに画像を投影できる位置にセットでき、かつ蓋を後方へ倒し、本体から離れた場所に配置された大型スクリーンに画像を投影できる。
【先行技術文献】
【特許文献】
【０００３】
【特許文献１】実用新案登録第３００５２４６号公報
【発明の概要】
【発明が解決しようとする課題】
【０００４】
しかし、蓋のスクリーンを用いない場合、別途用意したスクリーンをアタッシュケースと一緒に持ち運ばなければならず、面倒だった。
【０００５】
この発明はこのような事情に鑑みてなされたもので、その課題はスクリーンと電子機器又はカメラとを別々に持ち運ぶ必要がないようにすることである。
【課題を解決するための手段】
【０００６】
上記課題を解決するため請求項１記載の発明は、被写体像を取得する撮像ユニットと、画像を投影面に向けて投影するプロジェクタユニットと、前記撮像ユニットと前記プロジェクタユニットとを収容する筐体と、前記筐体に設けられ、前記筐体から離れた位置に設置されるスクリーンを収納可能な収納部とを備えていることを特徴とする。
【０００７】
請求項２に記載の発明は、請求項１記載の電子機器において、前記収納部に前記スクリーンが収納されているか否かを検知する検知手段を備えていることを特徴とする。
【０００８】
請求項３に記載の発明は、請求項１又は２記載の電子機器において、前記検知手段によって前記スクリーンが収納されていないことが検知されたとき、前記プロジェクタユニットによる投影を可能にする制御手段を備えていることを特徴とする。
【０００９】
請求項１〜３のいずれか１項記載の電子機器は、例えばカメラである。
【発明の効果】
【００１０】
この発明によれば、スクリーンと電子機器又はカメラとを別々に持ち運ぶ必要がない。
【図面の簡単な説明】
【００１１】
【図１】図１はこの発明の第１実施形態に係るカメラの斜視図である。
【図２】図２はカメラの筐体内の各ユニットの配置を正面から見た概念図である。
【図３】図３（ａ）〜（ｃ）はスクリーンの使用方法を説明する図である。
【図４】図４は扉を開いた状態を示すカメラの斜視図である。
【図５】図５はこの発明の第２実施形態に係るカメラの筐体内の各ユニットの配置を正面から見た概念図である。
【図６】図６は図５のＡ矢視図である。
【図７】図７は扉を開いた状態を示すカメラの斜視図である。
【図８】図８は制御部によるカメラの制御の一例を説明するフローチャートである。
【発明を実施するための形態】
【００１２】
以下、この発明の実施の形態を図面に基づいて説明する。
【００１３】
図１はこの発明の第１実施形態に係るカメラ２の斜視図である。
【００１４】
カメラ（電子機器）２の筐体３は、アルミニウム等の金属からなり、前カバー４と後カバー６と側面カバー７と扉１０１とで構成されている。前カバー４には、撮影窓８、プロジェクタ投影窓１０及びフラッシュ光が射出されるフラッシュ窓１２が設けられている。
【００１５】
また、筐体３の上部には、電源スイッチ１４、レリーズ動作を指示するシャッタボタン１６、カメラ撮影を行う撮影モードとプロジェクタ投影を行うプロジェクタモードとを切り替えるモード切替ボタン１８、プロジェクタ投影時の投影画像のピント調整を行うための操作レバーであるプロジェクタフォーカスレバー２０等が設けられている。
【００１６】
図２はカメラ２の筐体３内の各ユニットの配置を正面から見た概念図である。
【００１７】
筐体３内には、被写体を撮像するためのＣＣＤ等の撮像素子（図示せず）を有する撮像ユニット２６、投影用画像を投影するための光学系等を有するプロジェクタユニット２８、後述の検知部１０２の出力に基づいてプロジェクタユニット２８による投影を制御する制御部２７、撮像ユニット２６及びプロジェクタユニット２８に電力を供給するバッテリ２９を収容する電池室３０、スクリーン１１０を収容する収納室（収納部）１００が設けられている。
【００１８】
収納室１００の開口部には扉１０１が設けられている。収納室１００にはスクリーン１１０が収納されているか否かを検知するフォトインタラプタ等の光学式センサやマイクロスイッチ等の接触式スイッチ等の検知部（検知手段）１０２が設けられている。
【００１９】
制御部２７は例えばワンチップマイクロコンピュータで構成される。
【００２０】
次に、図４に基づいて収納室１００にスクリーン１１０を収納する方法を説明する。
【００２１】
図４は扉１０１を開いた状態を示すカメラ２の斜視図である。
【００２２】
収納室１００にスクリーン１１０を収納するには、まず扉１０１を開ける。その後、予め例えば折り畳んだ後に巻いて円筒状にしたスクリーン１１０を収納室１００に収納し、扉１００を閉める。
【００２３】
なお、収納室１００にスクリーン１１０を収納するとき、スクリーン１１０を折り畳むだけでもよい。要は収納室１００に収容可能な大きさにすればよい。収納室１００にはスクリーン１１０だけでなく、スクリーン１１０を固定する吸盤１２０等をスクリーン１１０と一緒に収納することもできる。
【００２４】
次に、スクリーン１１０の使用方法を説明する。
【００２５】
図３（ａ）〜（ｃ）はスクリーン１１０の使用方法を説明する図である。
【００２６】
矩形のスクリーン１１０の大きさは例えばＡ４サイズ（２９７×２１０（単位：ｍｍ））である。スクリーン１１０は例えば白色の布や収納時に折り畳んだときのしわが目立たないガラス繊維等で形成される。なお、図３（ａ）の右側の図は左側のスクリーン１１０を壁Ｗに取り付けた状態を示す図のａ−ａ線に沿う断面図、図３（ｂ）の右側の図は左側のスクリーン１１０を壁Ｗに取り付けた状態を示す図のｂ−ｂ線に沿う断面図を示す。
【００２７】
図３（ａ）の例では吸盤１２０を用いてスクリーン１１０が壁Ｗに取り付けられている。なお、吸盤１２０はスクリーン１１０の上端の２つの角だけに設けられているが、スクリーン１１０の４つの角に吸盤１２０をそれぞれ設けてもよい。
【００２８】
図３（ｂ）の例ではピン１３０を用いてスクリーン１１０が壁Ｗに取り付けられている。なお、ピン１３０はスクリーン１１０の上端の２つの角だけに設けられているが、スクリーン１１０の４つの角にピン１３０をそれぞれ設けてもよい。
【００２９】
図３（ｃ）の例では机（図示せず）の上に吸盤１４１を用いて固定した２本の支柱１４０ａ，１４０ｂ間にスクリーン１１０を張り渡している。支柱１４０ａ，１４０ｂはそれぞれ伸縮可能である。
【００３０】
次に、制御部２７によるカメラ２の制御の一例を説明する。
【００３１】
図８は制御部２７によるカメラ２の制御の一例を説明するフローチャートである。
【００３２】
図８において、Ｓ１〜Ｓ９は処理ステップを示す。
【００３３】
まず、カメラ２のバッテリ（電源）２９をオンにする（Ｓ１）。
【００３４】
カメラ２のバッテリ２９をオンにすると、カメラ２は撮像モードとなる（Ｓ２）。
【００３５】
次に、モード切替ボタン（モード切替ＳＷ）１８がオンである（撮像モードからプロジェクタモード（ＰＪモード）に切り替えられている）か否かを判断する（Ｓ３）。
【００３６】
モード切替ボタン１８がオンであるとき（ＹＥＳ）、カメラ２をプロジェクタモード（ＰＪモード）にする（Ｓ４）。
【００３７】
モード切替ボタン１８がオンでないとき（ＮＯ）、検知部（ＳＷ）１０２がオフである（スクリーン１１０が収納室１００に収納されていない）か否かを判断する（Ｓ５）。
【００３８】
検知部１０２がオフでない（スクリーン１１０が収納室１００に収納されている）とき（ＮＯ）、処理は終了する（Ｓ６）。
【００３９】
このとき、カメラ２は撮像モードになっているので、プロジェクタ投影窓１０から画像がスクリーン１１０に投影されない。
【００４０】
検知部１０２がオフであるとき（ＹＥＳ）、カメラ２をプロジェクタモード（ＰＪモード）にする（Ｓ４）。
【００４１】
その後、検知部１０２がオンである（スクリーン１１０が収納室１００に収納されている）か否かを判断する（Ｓ７）。
【００４２】
検知部１０２がオンであるとき（ＹＥＳ）、カメラ２をプロジェクタモード（ＰＪモード）から撮像モードに切り替える（Ｓ８）。
【００４３】
検知部１０２がオンでない（スクリーン１１０が収納室１００に収納されていない）とき（ＮＯ）、モード切替ボタン１８がオンである（プロジェクタモード（ＰＪモード）から撮像モードに切り替えられている）か否かを判断する（Ｓ９）。
【００４４】
モード切替ボタン１８がオンでないとき（ＮＯ）、ステップＳ７、Ｓ９を繰り返す。
【００４５】
このとき、カメラ２はプロジェクタモードになっているので、カメラ２の正面をスクリーン１１０に向ければ、プロジェクタ投影窓１０から画像がスクリーン１１０に投影される。
【００４６】
モード切替ボタン１８がオンであるとき（ＹＥＳ）、カメラ２を撮像モードにする（Ｓ８）。
【００４７】
その後、処理は終了する（Ｓ６）。
【００４８】
なお、上記ステップＳ５では、検知部１０２がオフでない（スクリーン１１０が収納室１００に収納されている）とき（ＮＯ）、処理を終了させたが（Ｓ６）、検知部１０２がオフでないときであっても、プロジェクタモード（ＰＪモード）にすることができるようにしておいてもよい。このようにすることで、スクリーン１１０が収納室１００に収納されていても画像を投影可能な壁等があれば、その壁等に画像を投影することが可能になる。
【００４９】
この実施形態によれば、スクリーン１１０をカメラ２の収納室１００に収納することができるので、スクリーン１１０とカメラ２とを別々に持ち運ぶ必要がない。
【００５０】
図５はこの発明の第２実施形態に係るカメラ２０２の筐体２０３内の各ユニットの配置を正面から見た概念図、図６は図５のＡ矢視図、図７は扉２０１を開いた状態を示すカメラ２０２の斜視図であり、第１実施形態と共通する部分には同一符号を付してその説明を省略する。
【００５１】
この実施形態は収納室（収納部）２００を筐体２０３内の下部に設けた点で第１実施形態と相違する。
【００５２】
筐体２０３の底面には、電池室３０の蓋３１と三脚取付用のめねじが形成された三脚取付部２０５と収納室２００の扉２０１とが設けられている。
【００５３】
収納室２００内はピン１３０や吸盤（図示せず）を収納する第１収納室２００Ａと例えば折り畳まれたスクリーン１１０が収納される第２収納室２００Ｂとに区画されている。
【００５４】
このカメラ２０２の動作は第１実施形態のカメラ２と同様であるので、その説明を省略する。
【００５５】
この実施形態によれば、第１実施形態と同様の効果を奏する。
【符号の説明】
【００５６】
２，２０２：カメラ（電子機器）、３，２０３：筐体、２６：撮像ユニット、２７：制御部（制御手段）、２８プロジェクタユニット、１００，２００：収納室（収納部）、１０２：検知部（検知手段）、１１０：スクリーン。
【図１】
2010181510.tif 000003
【図２】
2010181510.tif 000004
【図３】
2010181510.tif 000005
【図４】
2010181510.tif 000006
【図５】
2010181510.tif 000007
【図６】
2010181510.tif 000008
【図７】
2010181510.tif 000009
【図８】
2010181510.tif 000010